(57)【要約】【課題】表面を化粧化仕上げすることなく、美観を損なわずにコンクリート構造物を構築できるコンクリート打設用型枠を提供すること。【解決手段】打設したコンクリートを保持可能な複数の開口部を設けた矩形の板体と、前記板体の周囲に設けた枠体と、からなる型枠パネルと、前記型枠パネルと向き合うように配置した仕切枠と、前記型枠パネルと仕切枠とを連結する支持体と、からなることを特徴とする、コンクリート打設用型枠。【選択図】図１
2008291436.tif 000002
【特許請求の範囲】
【請求項１】
打設したコンクリートを保持可能な複数の開口部を設けた矩形の板体と、前記板体の周囲に設けた枠体と、からなる型枠パネルと、
前記型枠パネルと向き合うように配置した仕切枠と、
前記型枠パネルと仕切枠とを連結する支持体と、からなることを特徴とする、
コンクリート打設用型枠。
【請求項２】
請求項１に記載のコンクリート打設用型枠において、前記型枠パネルの板体に凹部と凸部とを設けたことを特徴とする、コンクリート打設用型枠。
【請求項３】
請求項１又は請求項２に記載のコンクリート打設用型枠において、
前記型枠パネルの枠体の上面に複数個の係止凸部を設け、
前記型枠パネルの枠体の下面の、前記係止凸部と対向する位置に、複数個の係止孔を設けたことを特徴とする、
コンクリート打設用型枠。
【請求項４】
請求項１乃至請求項３のいずれかに記載のコンクリート打設用型枠において、前記型枠パネルと向き合うように配置した複数枚の仕切枠と、前記複数枚の仕切枠を連結する支持体と、を有することを特徴とする、コンクリート打設用型枠。
【請求項５】
打設したコンクリートを保持可能な複数の開口部を設けた矩形の板体からなる型枠パネルと、前記型枠パネルと向き合うように配置した仕切枠と、前記型枠パネルと仕切枠とを連結する支持体と、からなるコンクリート打設用型枠によって形成した残存型枠部と、
前記残存型枠部の、型枠パネルと仕切枠との間に充填したコンクリートと、からなることを特徴とする、
コンクリート構造物。
【請求項６】
打設したコンクリートを保持可能な複数の開口部を設けた矩形の板体からなる型枠パネルと、前記型枠パネルと向き合うように配置した仕切枠と、前記型枠パネルと仕切枠とを連結する支持体と、からなるコンクリート打設用型枠によって残存型枠部を形成する残存型枠部形成工程と、
前記残存型枠部の、型枠パネルと仕切枠との間にコンクリートを打設するコンクリート打設工程と、からなることを特徴とする、
コンクリート構造物の施工方法。
【発明の詳細な説明】
【技術分野】
【０００１】
本発明はコンクリート打設用の残存型枠及びそれを用いた構造物、構造物の施工方法に関する。
【背景技術】
【０００２】
従来、コンクリート製の擁壁、砂防ダム等の構造物を構築する際には、コンクリート打設時に型枠として使用し、コンクリート固化後にその表面に残存する残存型枠が使用されている。
残存型枠には、表面を擬石化したコンクリート製のパネルが用いられる。
その他にも、金属やコンクリート製の平板の残存型枠本体に、表面を擬石化した化粧パネルを取り付けて、構造物を構築する方法が知られている。
【発明の開示】
【発明が解決しようとする課題】
【０００３】
しかし、従来の残存型枠を用いた構造物の構築方法には、以下の問題があった。
＜１＞残存型枠表面に別途化粧パネルを取り付けるため、製造コスト・施工コストが高くなってしまう。
＜２＞コンクリート製の残存型枠は重量が大きいため、運搬効率や施工効率が悪く、施工コストが高くなってしまう。
＜３＞表面を化粧化仕上げしないものは美観性に劣るため、人目につかない場所等、使用箇所が制限されてしまう。
【０００４】
本発明の目的は、表面を化粧化仕上げすることなく、美観を損なわずにコンクリート構造物を構築できるコンクリート打設用型枠及びこれを用いた構造物、構造物の構築方法を提供することを目的とする。
【課題を解決するための手段】
【０００５】
上記目的を達成するためになされた本願の第１発明は、打設したコンクリートを保持可能な複数の開口部を設けた矩形の板体と、前記板体の周囲に設けた枠体と、からなる型枠パネルと、前記型枠パネルと向き合うように配置した仕切枠と、前記型枠パネルと仕切枠とを連結する支持体と、からなることを特徴とする、コンクリート打設用型枠を提供するものである。
また、本願の第２発明は、本願の第１発明のコンクリート打設用型枠において、前記型枠パネルの板体に凹部と凸部とを設けたことを特徴とする、コンクリート打設用型枠を提供するものである。
また、本願の第３発明は、本願の第１発明又は第２発明のコンクリート型枠において、前記型枠パネルの枠体の上面に複数個の係止凸部を、型枠パネルの幅方向に等間隔に設け、前記型枠パネルの枠体の下面の、前記係止凸部と対向する位置に、複数個の係止孔を設けたことを特徴とする、コンクリート打設用型枠を提供するものである。
また、本願の第４発明は、本願の第１発明乃至第３発明のいずれかのコンクリート打設用型枠において、前記型枠パネルと向き合うように配置した複数枚の仕切枠と、前記複数枚の仕切枠を連結する支持体と、を有することを特徴とする、コンクリート打設用型枠を提供するものである。
また、本願の第５発明は、打設したコンクリートを保持可能な複数の開口部を設けた矩形の板体からなる型枠パネルと、前記型枠パネルと向き合うように配置した仕切枠と、前記型枠パネルと仕切枠とを連結する支持体と、からなるコンクリート打設用型枠によって形成した残存型枠部と、前記残存型枠部の、型枠パネルと仕切枠との間に充填したコンクリートと、からなることを特徴とする、コンクリート構造物を提供するものである。
また、本願の第６発明は、打設したコンクリートを保持可能な複数の開口部を設けた矩形の板体からなる型枠パネルと、前記型枠パネルと向き合うように配置した仕切枠と、前記型枠パネルと仕切枠とを連結する支持体と、からなるコンクリート打設用型枠によって残存型枠部を形成する残存型枠部形成工程と、前記残存型枠部の、型枠パネルと仕切枠との間にコンクリートを打設するコンクリート打設工程と、からなることを特徴とする、コンクリート構造物の施工方法を提供するものである。
【発明の効果】
【０００６】
本発明は、上記した課題を解決するための手段により、次のような効果の少なくとも一つを得ることができる。
＜１＞型枠の表面に凹部と凸部とを設け自然石様に形成することにより、構造物構築時に化粧化仕上げが不要となり、美観性が増し、施工効率が向上する。
＜２＞型枠を軽量な板体により構成するため、運搬効率や施工効率が向上し、施工コストを低減することができる。
＜３＞型枠表面に設けた凹凸により、構造物構築時、コンクリートの重量等の型枠に作用する力が分散するため、強度の高い型枠を構成することができる。
＜４＞型枠の上面に設けた係止凸部と、下面に設けた係止孔とにより、上下方向に複数のコンクリート打設用型枠を多段に、正確に組み上げて、コンクリート構造物を施工することができる。
＜５＞木製パネル等を使用した従来からの施工方法に比べて、仮設材が不要であり、型枠の解体作業がないため、大幅な工事短縮が可能である。
＜６＞型枠に木材を使用しないため、山地保全と環境保全に貢献することができる。
【発明を実施するための最良の形態】
【０００７】
以下、図面を参照しながら本発明の実施の形態について説明する。
【実施例】
【０００８】
（１）コンクリート打設用型枠の構成
本発明のコンクリート打設用型枠１０は、図１に示すように、型枠パネル２０と、型枠パネル２０に対向するように背面に配置した仕切枠３０と、型枠パネル２０と仕切枠３０とを連結する支持体４０と、により構成する。
【０００９】
＜１＞型枠パネル
型枠パネル２０は、コンクリート打設時に型枠となり、コンクリート固化後にその表面に残存する部材であり、多数の孔を有する板体２１と、板体の周囲に設けた枠体２２と、により構成する。
【００１０】
板体２１は、鋼製の矩形の平板に、打設したコンクリートを保持可能な開口部２１１を複数設け、多孔性の板体に形成したものである。
図２に示すように、開口部２１１は、傾斜部２１１ａ及び連結部２１１ｂで包囲されている。傾斜部２１１ａは、上方に向かって次第に外側に傾斜して形成されており、連結部２１１ｂは、これらの隣接する傾斜部２１１ａ群を前後にずらしてそれぞれ連結するものである。
【００１１】
そして、このような傾斜部２１１ａ及び連結部２１１ｂにより包囲される開口部２１１は、受け口状かつ多段的に開口され、型枠パネル２０の背面に打設したコンクリートＣが流出しないように構成されている。開口部２１１は、鋼板に同一方向の多数のスリットを入れて伸ばした後、傾斜部２１１ａをプレスして起こして作製することができる。
また、板体２２にはプレス加工等により表面になだらかな凹部２１２と凸部２１３とを設け、自然石様な形態とする。
【００１２】
枠体２２は、構造物構築時に型枠パネル２０に作用するコンクリートの重量等によって板体２１が変形しないように、板体２１の周囲に設けるものであり、鋼材や木材等を組み合わせて構成する。
型枠パネル２０の周囲に設けた枠体２２のうち、上側と下側に配置した枠体２２ａ、２２ｂには、それぞれ対応する位置に、上側の枠体２２ａには係止凸部２３を、下側の枠体２２ｂには係止孔２４を、複数個設ける。
係止凸部２３及び係止孔２４は、型枠パネル２０の幅方向に等間隔に設けることもできる。
【００１３】
＜２＞仕切枠
仕切枠３０は、型枠パネル２０に対向するように背面に配置される部材である。
仕切枠３０は、金属製の波型板や平板によって構成され、型枠パネル２０の背面に打設したコンクリートが流出するのを防止する。
【００１４】
＜３＞支持体
支持体４０は、型枠パネル２０と仕切枠３０とを所定の間隔離して連結する部材である。
支持体４０は、鉄筋やセパレータ等の棒状の部材であり、一端を型枠パネル２０に、他端を仕切枠３０に、螺着や溶接等の公知の方法により取り付ける。
【００１５】
コンクリート打設用型枠１０は、型枠パネル２０と仕切枠３０とを所定の間隔離した状態で支持体４０により連結して構成するため、コンクリート打設用型枠２０は自立する。
また、コンクリート打設用型枠１０は、板体からなる型枠パネル２０と、同じく板体からなる仕切枠３０とによって構成するため、軽量で運搬や施工時の配置が容易となる。
【００１６】
（２）施工方法
次に、図３乃至図５を用いて、コンクリート打設用型枠１０を使用した、コンクリート構造物の施工方法について説明する。
【００１７】
＜１＞型枠組み上げ
図３に示すように、コンクリート打設用型枠１０を組み上げて接続し、残存型枠部１１を構築する。
残存型枠１１の下部には、構築するコンクリート構造物の形状に合わせて、基礎５０をあらかじめ形成しておいてもよい。
コンクリート型枠１０は自立式であり、軽量であるため運搬、施工が容易である。
図４に示すように、残存型枠部１１は、上側のコンクリート打設用型枠１０ａの下面に等間隔に設けた係止孔２４に、下側のコンクリート打設用型枠１０ｂの上面に同様に等間隔に設けた係止凸部２３を嵌入しながら、組み上げて形成していく。
係止孔２４に係止凸部２３を嵌入して組み上げるため、容易に位置決めしながら組み上げることができる。
【００１８】
＜２＞コンクリート打設
残存型枠部１１を所定の高さまで組み上げた後、図３に示すように、残存型枠部１１の、型枠パネル２０と仕切枠３０との間に、コンクリートＣを打設する。
型枠パネル２０の板体２１の表面にはコンクリートＣを保持する開口部２１１が開設されているため、コンクリートＣが外部に漏れ出すことがなく、表面に凹凸が形成される。
【００１９】
型枠パネル２０の板体２１の表面は、傾斜部２１１ａによって保持された内部のコンクリートＣが、開口部２１１から露出する形状となるため、表面がコンクリートで仕上げたような外観となる。
さらに、板体２１には表面になだらかな凹部２１２と凸部２１３が設けられているため、化粧化仕上げをすることなく、自然石のような表面を有するコンクリート構造物を構築することができる。
また、型枠パネル２０に設けた凹部２１２と凸部２１３とにより、コンクリート打設用型枠１０やコンクリートＣの重量によりかかる荷重が分散される。
【００２０】
上記の工程を繰り返して、図５に示すようなコンクリート構造物を構築する。
残存型枠部１１は、軽量なコンクリート打設用型枠１０で容易に構築することができるため、重量のあるコンクリートパネルを用いて構造物を構築する場合に比べて、一度に構築するピッチ（高さ）を大きくとることができるため、短工期に施工することができる。
【００２１】
［その他実施例］
残存型枠部１１を、コンクリート打設用型枠１０を一段で形成し、コンクリートＣを打設する工程を繰り返すことにより、図６に示すような段差を有するコンクリート構造物を構築することもできる。
コンクリート打設用型枠１０は自立式であるため、一段ずつ施工することも容易である。
【００２２】
また、型枠パネル２０の背面に配置する仕切枠３０は、図７に示すように、所定の間隔離して、複数枚設けることもできる。仕切枠３０間は支持体４０により連結する。
このように構成した型枠パネル２０を組み上げて残存型枠部１１を形成し、型枠パネル２０と仕切枠３０との間にコンクリートＣを打設し、コンクリートＣと盛土層６０との間の仕切枠３０間に、粗骨材や砕石７１等を充填して構造物を構築することで、排水層７０を有するコンクリート構造物を容易に構築することができる。
【００２３】
また、図８に示すように、型枠２０に対向して設ける仕切枠３０を、型枠パネル２０とすることもできる。
構築しようとする構造物の形状に合わせて、対向する型枠パネル２０間の支持体４０の長さを変えることにより、容易に残存型枠部１１を構築することができる。
【図面の簡単な説明】
【００２４】
【図１】本発明のコンクリート打設用型枠の斜視図。
【図２】型枠に設けた開口部の説明図。
【図３】本発明の残存型枠部の説明図。
【図４】本発明の残存型枠部の斜視図。
【図５】本発明のコンクリート構造物の説明図。
【図６】本発明のその他の実施例にかかるコンクリート構造物の説明図。
【図７】本発明のその他の実施例にかかるコンクリート打設用型枠の説明図。
【図８】本発明のその他の実施例にかかるコンクリート打設用型枠の説明図。
【符号の説明】
【００２５】
１０    コンクリート打設用型枠
１１    残存型枠部
２０    型枠パネル
２１    板体
２１１  開口部
２１２  凹部
２１３  凸部
２２    枠体
２３    係止凸部
２４    係止孔
３０    仕切枠
４０    支持体
５０    土台
６０    盛土層
７０    排水層
【図１】
2008291436.tif 000003
【図２】
2008291436.tif 000004
【図３】
2008291436.tif 000005
【図４】
2008291436.tif 000006
【図５】
2008291436.tif 000007
【図６】
2008291436.tif 000008
【図７】
2008291436.tif 000009
【図８】
2008291436.tif 000010